(57)【要約】  本発明は、薬物送達デバイス（２０）であって、ニードルハブ（１３）を取り付けるように構成されたアダプタ（３）と、キャップ（９）のオリフィスと協働するように構成されたフランジ部分であって、キャップ（９）がアダプタ（３）を覆うように構成された、フランジ部分と、キャップ（９）の表面部分の戻り止めまたは凹部（１１）に解放可能に係合するように構成された掛止機構（１６）とを含み、掛止機構（１６）は、ニードルハブ（１３）がアダプタ（３）に取り付けられたときに動作不能状態になるように構成される薬物送達デバイスに関する。
2018513753.tif 000002
【特許請求の範囲】
【請求項１】
薬物送達デバイス（２０）であって、
ニードルハブ（１３）を取り付けるように構成されたアダプタ（３）と、
キャップ（９）のオリフィス（２２）と協働するように構成されたフランジ部分（２１）であって、キャップ（９）がアダプタ（３）を覆うように構成された、フランジ部分と、
キャップ（９）の表面部分の戻り止めまたは凹部（１１）に解放可能に係合するように構成された掛止機構（１６）とを含み、
該掛止機構（１６）は、ニードルハブ（１３）がアダプタ（３）に取り付けられたときに動作不能状態になるように構成される前記薬物送達デバイス。
【請求項２】
カートリッジホルダ（１）を含み、
掛止機構（１６）はカートリッジホルダ（１）上に少なくとも１つの可撓性アーム（５）を含み、該可撓性アーム（５）はキャップ（９）のそれぞれの凹部（１１）内に掛止するように配置された突起（６）を有し、可撓性アーム（５）は、ニードルハブ（１３）をカートリッジホルダ（１）の遠位端に取り付けることにより弛緩位置から第１の偏向位置へ偏向するように配置され、第１の偏向位置で、突起（６）が凹部（１１）内に掛止することが妨げられる、請求項１に記載の薬物送達デバイス（２０）。
【請求項３】
第１の偏向位置で、突起（６）はキャップ（９）に軸方向に当接して、キャップ（９）がカートリッジホルダ（１）の遠位端上に取り付けられることを妨げるように適用される、請求項１に記載の薬物送達デバイス（２０）。
【請求項４】
弛緩状態で、キャップ（９）をカートリッジホルダ（１）に取り付けようとしている間、突起（６）は該キャップに軸方向に当接しない、請求項２または３に記載の薬物送達デバイス（２０）。
【請求項５】
カートリッジホルダ（１）は、本体（２）と、本体（２）から遠位にあるアダプタ（３）とを含み、該アダプタ（３）はニードルアセンブリ（１２）のニードルハブ（１３）に係合するように配置され、可撓性アーム（５）は本体（２）から遠位方向（Ｄ）へアダプタ（３）に横方向に重なるように突出する、請求項２〜４のいずれか１項に記載の薬物送達デバイス（２０）。
【請求項６】
可撓性アーム（５）は、弛緩位置から第２の偏向位置へ半径方向内方に偏向するように配置される、請求項２〜５のいずれか１項に記載の薬物送達デバイス（２０）。
【請求項７】
突起（６）の半径方向内方を向いた側のランプ機能（８）が、ニードルハブ（１３）がアダプタ（３）上に取り付けられたときにニードルアセンブリ（１２）のニードルハブ（１３）により係合されて、アーム（５）を半径方向外方へ第１の偏向位置に偏向させるように配置される、請求項２〜６のいずれか１項に記載の薬物送達デバイス（２０）。
【請求項８】
第１の偏向位置で、突起（６）は、キャップ（９）をカートリッジホルダ（１）の遠位端上に取り付けることを可能にするが、該キャップが凹部（１１）内に掛止することが妨げられる、請求項２に記載の薬物送達デバイス（２０）。
【請求項９】
カートリッジホルダ（１）に取り付けられたニードルアセンブリ（１２）により、アーム（５）が第１の偏向位置から弛緩位置へ戻ることが妨げられる、請求項２または８に記載の薬物送達デバイス（２０）。
【請求項１０】
カートリッジホルダ（１）は、本体（２）と、本体（２）から遠位にあるアダプタ（３）とを含み、該アダプタ（３）はニードルアセンブリ（１２）のニードルハブ（１３）に係合するように配置され、可撓性アーム（５）はアダプタ（３）内の切欠きに配置され、近位方向（Ｐ）へ本体（２）に横方向に重なるように突出する、請求項２、８、９のいずれか１項に記載の薬物送達デバイス（２０）。
【請求項１１】
アーム（５）の半径方向外方を向いた面のランプ機能（８）が、ニードルハブ（１３）がアダプタ（３）上に取り付けられたときにニードルアセンブリ（１２）のニードルハブ（１３）により係合されて、アーム（５）を半径方向内方へ第１の偏向位置に偏向させるように配置される、請求項２、８、９、１０のいずれか１項に記載の薬物送達デバイス（２０）。
【請求項１２】
アーム（５）を収容するための１つまたはそれ以上の長手方向切欠き（７）がカートリッジホルダ（１）に配置される、請求項２〜１１のいずれか１項に記載の薬物送達デバイス（２０）。
【請求項１３】
アダプタ（３）は、ニードルアセンブリ（１２）のニードルハブ（１３）の内ねじ山に係合する外ねじ山（４）を含む、請求項５〜７および１０〜１２のいずれか１項に記載の薬物送達デバイス（２０）。
【請求項１４】
アダプタ（３）は、ニードルアセンブリ（１２）のニードルハブ（１３）の対応するバヨネット機能に係合するバヨネット機能を含む、請求項５〜７および１０〜１３のいずれか１項に記載の薬物送達デバイス（２０）。
【発明の詳細な説明】
【技術分野】
【０００１】
本発明は、キャップの表面部分の戻り止めまたは凹部に解放可能に係合するように構成された掛止機構を有する薬物送達デバイスに関する。
【背景技術】
【０００２】
注射デバイスでは、一般的に自己注射に使用されるゲージ針をますます小さくする傾向がある。小さいゲージ針は、通常、処置に関連する痛みを少なくするが、これを使用すると、特に高濃度インスリンと共に使用したときに針が部分的または完全に閉塞する危険性が高くなり得る。
【０００３】
インスリンペンなどの多目的薬物送達デバイスは、通常、使用前に薬物カートリッジに取り付けられる交換可能な両頭ペンニードルと共に使用される。ユーザが注射を行った後に針を取り外して、次の注射のために新しい針を取り付けることが一般に推奨される。そうしないと、鈍い針、曲がった針、または詰まった針でユーザが怪我をするおそれがあり、または不十分な用量を投薬するおそれがある。
【０００４】
針が閉塞する１つの考えられる原因は、針の内腔内で薬物製剤が凝固することである。これは、使用後に針をその場に放置した場合、またはユーザがその日の後になって注射を行う準備として針を装着した場合に起こり得る。特定の薬物製剤、特に水性の薬物製剤は、特定の保管状況において凝固する危険性が高いことが知られている。そのような１つの例は、より高濃度のインスリン製剤である。
【０００５】
したがって、注射の直前に未使用の針を取り付けることが、自己注射の全面的な確実性に決定的な影響を与える必要条件であると理解される。依然として、ユーザが前述した必要条件を容易に満たすように助ける必要がある。
【発明の概要】
【発明が解決しようとする課題】
【０００６】
前述した必要を考慮して、本発明の目的は改良された薬物送達デバイスを提供することであると理解される。
【課題を解決するための手段】
【０００７】
この目的は、請求項１に記載の薬物送達デバイスにより達成される。
【０００８】
本発明の例示的な実施形態は従属請求項に示される。
【０００９】
「薬物送達デバイス」という用語は、薬物または薬物を含む製剤をヒトまたは動物の身体に直接投薬するように機能し得るあらゆるタイプのデバイス、システムまたは装置を包含するものと理解される。したがって、直接の投薬とは、薬物送達デバイスからの薬物または薬物製剤の排出とヒトまたは動物の身体への投与との間に、ユーザによる薬物または薬物製剤の必要な中間操作がないものと理解される。直接投薬デバイスの一般的な例が、注射デバイス、吸入器、および胃管栄養補給システムに見られるが、これらに限定されない。
【００１０】
本発明によれば、薬物送達デバイスは、ニードルハブを取り付けるように構成されたアダプタと、キャップのオリフィスと協働するように構成されたフランジ部分であって、キャップがアダプタを覆うように構成された、フランジ部分と、キャップの表面部分の戻り止めまたは凹部に解放可能に係合するように構成された掛止機構とを含み、掛止機構は、ニードルハブがアダプタに取り付けられたときに動作不能状態になるように構成される。したがって、キャップが薬物送達デバイスに取り付けられまたは保持されることが妨げられることにより、ニードルハブを有するニードルアセンブリが薬物送達デバイスに取り付けられたままであることをユーザに示し、キャップを再び取り付けようとする前にニードルアセンブリを取り外すようユーザを促す。これにより針の閉塞の危険を減らす。
【００１１】
例示的な実施形態において、薬物送達デバイスは、たとえば薬剤カートリッジを保持するためのカートリッジホルダを含み、掛止機構はカートリッジホルダ上に少なくとも１つの可撓性アームを含み、可撓性アームはキャップのそれぞれの凹部内に掛止するように配置された突起を有し、可撓性アームは、ニードルハブをカートリッジホルダの遠位端に取り付けることにより弛緩位置から第１の偏向位置へ偏向するように配置され、第１の偏向位置で、突起が凹部内に掛止することが妨げられる。したがって、キャップがカートリッジホルダに取り付けられまたは保持されることが妨げられることにより、ニードルアセンブリがカートリッジホルダに取り付けられたままであることをユーザに示し、キャップを再び取り付けようとする前にニードルアセンブリを取り外すようユーザを促す。これにより針の閉塞の危険を減らす。
【００１２】
他の例示的な実施形態において、薬物送達デバイスは薬剤カートリッジを含んでよく、掛止機構、たとえば可撓性アームを薬剤カートリッジに配置してもよい。
【００１３】
例示的な実施形態において、第１の偏向位置で、突起はキャップに軸方向に当接して、キャップがカートリッジホルダの遠位端上に取り付けられることを妨げるように適用される。
【００１４】
例示的な実施形態において、アームの弛緩状態で、キャップをカートリッジホルダに取り付けようとしている間、突起はキャップに軸方向に当接しないため、ニードルアセンブリが取り付けられていないときに、キャップをカートリッジホルダ上に組み付けることができる。
【００１５】
例示的な実施形態において、カートリッジホルダは、本体と、ニードルアセンブリのニードルハブに係合するように配置された、本体から遠位にあるアダプタとを含み、可撓性アームは本体から遠位方向へアダプタに横方向に重なるように突出する。
【００１６】
例示的な実施形態において、可撓性アームは、弛緩位置から第２の偏向位置へ半径方向内方に偏向するように配置される。これにより、突起が凹部に到達する前にキャップをカートリッジホルダに組み付ける間、キャップの戻り止め機能がアームを偏向させることができ、その後キャップを取り外すためには戻り止め力に打ち勝たなければならず、キャップが下方を向いても落ちないようになっている。
【００１７】
例示的な実施形態において、突起の半径方向内方を向いた側のランプ機能が、ニードルハブがアダプタ上に取り付けられたときにニードルアセンブリのニードルハブにより係合されて、アームを半径方向外方へ第１の偏向位置に偏向させるように配置される。
【００１８】
別の例示的な実施形態において、第１の偏向位置で、突起は、キャップをカートリッジホルダの遠位端上に取り付けることを可能にするが、キャップが凹部内に掛止することが妨げられる。したがって、突起は凹部に係合せず、キャップはカートリッジホルダ上に緩く配置されるだけであり、カチッと留まらずに下方を向くと落ちるようになっている。これは、ニードルアセンブリが取り付けられたままであることを示し、キャップをカートリッジホルダにカチッと留めることができるようにニードルアセンブリを取り外すようユーザを促す。
【００１９】
例示的な実施形態において、カートリッジホルダに取り付けられたニードルアセンブリにより、アームが第１の偏向位置から弛緩位置へ戻ることが妨げられる。
【００２０】
例示的な実施形態において、カートリッジホルダは、本体と、ニードルアセンブリのニードルハブに係合するように配置された、本体から遠位にあるアダプタとを含み、可撓性アームはアダプタ内の切欠きに配置され、近位方向へ本体に横方向に重なるように突出する。
【００２１】
例示的な実施形態において、アームの半径方向外方を向いた面のランプ機能が、ニードルハブがアダプタ上に取り付けられたときにニードルアセンブリのニードルハブにより係合されて、アームを半径方向内方へ第１の偏向位置に偏向させるように配置される。
【００２２】
例示的な実施形態において、アームを収容するための１つまたはそれ以上の長手方向切欠きがカートリッジホルダに配置されることによって、アームの内方偏向の可能な範囲を画成する。
【００２３】
例示的な実施形態において、アダプタは、ニードルアセンブリのニードルハブの内ねじ山に係合する外ねじ山を含む。
【００２４】
別の例示的な実施形態において、アダプタは、ニードルアセンブリのニードルハブの対応するバヨネット機能に係合するバヨネット機能を含む。同様に、ニードルアセンブリをカートリッジホルダに取り付ける他の方法、たとえば摩擦嵌めまたはルアーロックも可能である。
【００２５】
本発明の適用性のさらなる範囲が、以下に示す詳細な説明から明らかになろう。しかしながら、本発明の例示的な実施形態を示す詳細な説明および特定の例は、例示としてのみ示されるものであることを理解すべきである。この詳細な説明から本発明の精神および範囲内の様々な変更および修正が当業者に明らかになるからである。
【００２６】
例示としてのみ示され、したがって本発明を限定するものではない、以下に示す詳細な説明および添付図面から、本発明がより完全に理解されるだろう。
【図面の簡単な説明】
【００２７】
【図１】カートリッジホルダを含む掛止機構の概略斜視図である。
【図２】カートリッジホルダ上に組み付けられたキャップの概略長手方向断面図である。
【図３】ニードルアセンブリが取り付けられたカートリッジホルダの概略斜視図である。
【図４】キャップをカートリッジホルダ上に組み付けようとしている間の、ニードルアセンブリが取り付けられたカートリッジホルダの概略長手方向断面図である。
【図５】カートリッジホルダを含む掛止機構の別の実施形態の概略斜視図である。
【図６】カートリッジホルダ上に組み付けられたキャップの概略長手方向断面図である。
【図７】ニードルアセンブリが取り付けられたカートリッジホルダの概略斜視図である。
【図８】キャップをカートリッジホルダ上に組み付けようとしている間の、ニードルアセンブリが取り付けられたカートリッジホルダの概略長手方向断面図である。
【図９】ニードルアセンブリとキャップとを有する薬物送達デバイスの概略図である。
【発明を実施するための形態】
【００２８】
すべての図において、対応する部材は同じ参照符号で示される。
【００２９】
図１は、カートリッジホルダ１を含む掛止機構１６の概略斜視図である。カートリッジホルダ１は本体２を含み、この本体２は、注射予定の流体を含むように配置された薬剤カートリッジ（図示せず）を受けるように適用される。カートリッジの遠位端はセプタムを含んでよい。カートリッジホルダ１は、本体２から遠位にアダプタ３を含み、このアダプタ３は、ニードルアセンブリのニードルハブの内ねじ山に係合する外ねじ山４を有する。１つまたはそれ以上の可撓性アーム５が本体２から遠位方向Ｄへアダプタ３に横方向に重なるように突出する。可撓性アーム５は、その遠位端に、半径方向外方へ、すなわちカートリッジホルダ１の長手方向軸Ａから離れて突出する突起６を含む。図１に示す弛緩位置で、アーム５の突起６は十分に小さい直径を画成して、キャップをカートリッジホルダ１の遠位端上に取り付けることができるようにする。アーム５の可撓性により、アーム５を半径方向外方へ第１の偏向位置に偏向させることによって突起６により画成された直径を大きくすることができ、半径方向内方へ第２の偏向位置に偏向させることによって突起６により画成された直径を小さくすることができる。例示的な実施形態において、アーム５を収容するための１つまたはそれ以上の長手方向切欠き７がアダプタ３に配置されることにより、第２の偏向位置におけるアーム５の内方偏向の可能な範囲を画成する。突起６の半径方向内方を向いた側のランプ機能８が、ニードルハブがアダプタ３上にねじ付けされたときにニードルアセンブリのニードルハブにより係合されて、アーム５を半径方向外方へ第１の偏向位置に偏向させるように配置される。
【００３０】
図１で、ニードルアセンブリはアダプタ３に取り付けられておらず、したがってアーム５は弛緩位置にあり、キャップをカートリッジホルダ１上に取り付けられるようになっている。
【００３１】
図２は、カートリッジホルダ１上に組み付けられたキャップ９の概略長手方向断面図である。組付け中、突起６は壁１０の凹部１１に到達するまでキャップ９の壁１０の内面に沿って摺動することにより、アーム５が弛緩位置にある状態で突起６が凹部１１に係合することができ、または第２の偏向位置に向かってわずかにのみ偏向する。例示的な実施形態において、凹部１１に到達する前に、壁１０のそれぞれの設計により、突起は半径方向内方へ第２の偏向位置に向かって偏向している。たとえば、壁１０を、凹部１１に到達するまでキャップ９の内径を遠位方向Ｄに減少させるように設計してもよい。同様に、壁１０を略一定の直径とバンプ機能とを画成するように設計してもよい。すなわち、局所的に小さくした直径を、近位方向Ｐで凹部１１に隣接して配置してもよい。同様に、漏斗機能をキャップ９の近位端に配置して、キャップ９をカートリッジホルダ１上に組み付けたとき突起６を半径方向内方に偏向させてもよく、壁１０を、漏斗機能と凹部１１との間に略一定の直径を画成するように設計してもよい。突起６が凹部１１に係合することにより、キャップ９をカートリッジホルダ１に取り付けたままにして、キャップ９を取り外すためには戻り止め力に打ち勝たなければならないようにする。
【００３２】
図３は、ニードルアセンブリ１２が取り付けられたカートリッジホルダ１の概略斜視図である。ニードルアセンブリ１２は、ニードルハブ１３と、ニードルハブ１３に保持された皮下両頭中空針１４とを含む。ニードルハブ１３は、アダプタ３の外ねじ山４に係合するように適用された内ねじ山（図示せず）を有する円筒壁１５を含む。ニードルハブ１３がアダプタ３にねじ付けされると、針の１４近位先端がカートリッジホルダ１内に保持されたカートリッジのセプタムを穿孔して、カートリッジと針１４との間の流体連通を確立することができる。さらに、ニードルハブ１３がアダプタ３にねじ付けされると、壁１５が可撓性アーム５のランプ機能８に係合して、アーム５を半径方向外方へ第１の偏向位置に変位させることによって、突起６により画成される直径を大きくする。
【００３３】
図４は、キャップ９をカートリッジホルダ１上に組み付けようとしている間の、ニードルアセンブリ１２が取り付けられたカートリッジホルダ１の概略長手方向断面図である。第１の偏向位置でアームと共に突起６により画成される直径は、キャップ９の近位端におけるキャップ９の壁１０の内径よりも大きい。したがって、キャップ９をカートリッジホルダ１上に組み付けることはできない。これは、ニードルアセンブリ１２が取り付けられたままであることを示し、キャップ９を取り付けることができるようにニードルアセンブリ１２を取り外すようユーザに促す。
【００３４】
図５は、カートリッジホルダ１を含む掛止機構１６の別の実施形態の概略斜視図である。カートリッジホルダ１は本体２を含み、この本体２は、注射予定の流体を含むように配置された薬剤カートリッジ（図示せず）を受けるように適用される。カートリッジの遠位端はセプタムを含んでよい。カートリッジホルダ１は、本体２から遠位にアダプタ３を含み、このアダプタ３は、ニードルアセンブリのニードルハブの内ねじ山に係合する外ねじ山４を有する。１つまたはそれ以上の可撓性アーム５がアダプタ３内の切欠きに配置され、近位方向Ｐへ本体２に横方向に重なるように突出する。可撓性アーム５は、その近位端に、半径方向外方へ、すなわちカートリッジホルダ１の長手方向軸Ａから離れて突出するそれぞれの突起６を含む。図５では、アーム５は弛緩位置にある。アーム５の可撓性により、アーム５を半径方向内方へ第１の偏向位置に偏向させることによって突起６により画成された直径を小さくすることができる。例示的な実施形態において、アーム５を収容するための１つまたはそれ以上の長手方向切欠き７または凹部が本体２に配置されることにより、アーム５の内方偏向の可能な範囲を画成する。アダプタ３の領域におけるアーム５の外面のランプ機能８が、ニードルハブがアダプタ３上にねじ付けされたときにニードルアセンブリのニードルハブにより係合されて、アーム５を半径方向内方へ第１の偏向位置に偏向させるように配置される。
【００３５】
図５で、ニードルアセンブリはアダプタ３に取り付けられておらず、したがってアーム５は弛緩位置にあり、キャップをカートリッジホルダ１上に取り付けられるようになっている。
【００３６】
図６は、カートリッジホルダ１上に組み付けられたキャップ９の概略長手方向断面図である。キャップ９の組付け中、突起６は壁１０の凹部１１に到達するまでキャップ９の壁１０の内面に沿って摺動することにより、アーム５が弛緩位置にある状態で突起６が凹部１１に係合することができる。例示的な実施形態において、凹部１１に到達する前に、壁１０のそれぞれの設計により、突起は半径方向内方へ第１の偏向位置に向かって偏向している。たとえば、壁１０を、凹部１１に到達するまでキャップ９の内径を遠位方向Ｄに減少させるように設計してもよい。同様に、壁１０を略一定の直径とバンプ機能とを画成するように設計してもよい。すなわち、局所的に小さくした直径を、近位方向Ｐで凹部１１に隣接して配置してもよい。同様に、漏斗機能をキャップ９の近位端に配置して、キャップ９をカートリッジホルダ１上に組み付けたとき突起６を半径方向内方に偏向させてもよく、壁１０を、漏斗機能と凹部１１との間に略一定の直径を画成するように設計してもよい。突起６が凹部１１に係合することにより、キャップ９をカートリッジホルダ１に取り付けたままにして、キャップ９を取り外すためには戻り止め力に打ち勝たなければならないようにする。
【００３７】
図７は、ニードルアセンブリ１２が取り付けられたカートリッジホルダ１の概略斜視図である。
【００３８】
ニードルアセンブリ１２は、ニードルハブ１３と、ニードルハブ１３に保持された皮下両頭中空針１４とを含む。ニードルハブ１３は、アダプタ３の外ねじ山４に係合するように適用された内ねじ山（図示せず）を有する円筒壁１５を含む。ニードルハブ１３がアダプタ３にねじ付けされると、針１４の近位先端がカートリッジホルダ１内に保持されたカートリッジのセプタムを穿孔して、カートリッジと針１４との間の流体連通を確立することができる。さらに、ニードルハブ１３がアダプタ３にねじ付けされると、壁１５が可撓性アーム５のランプ機能８に係合して、アーム５を半径方向内方へ第１の偏向位置に変位させることによって、突起６により画成される直径を小さくする。
【００３９】
図８は、キャップ９をカートリッジホルダ１上に組み付けようとしている間の、ニードルアセンブリ１２が取り付けられたカートリッジホルダ１の概略長手方向断面図である。
【００４０】
キャップ９をカートリッジホルダ１上に組み付けようとしている間、第１の偏向位置でアーム５と共に突起６により画成される直径は、キャップ９の壁１０の凹部１１に係合するのに必要な直径よりも小さい。したがって、突起６は凹部１１に係合せず、キャップ９がカートリッジホルダ１上に緩く配置されるだけであり、カチッと留まらずに下方を向くと落ちるようになっている。これは、ニードルアセンブリ１２が取り付けられたままであることを示し、キャップ９をカートリッジホルダ１にカチッと留めることができるようにニードルアセンブリ１２を取り外すようユーザを促す。
【００４１】
図９は、ニードルアセンブリ１２とキャップ９とを有する薬物送達デバイス２０の概略図である。薬物送達デバイス２０は、ニードルアセンブリ１２のニードルハブ１３を取り付けるように構成されたアダプタ３と、キャップ９のオリフィスと協働するように構成されたフランジ部分２１であって、キャップ９がアダプタ３を覆うように構成された、フランジ部分２１と、キャップ９の表面部分の戻り止めまたは凹部（図２、図６、図８参照）に解放可能に係合するように構成された掛止機構１６とを有し、掛止機構１６は、ニードルハブ１３がアダプタ３に取り付けられたときに動作不能状態になるように構成される。薬物送達デバイス２０は、アダプタ３と掛止機構１６とが設けられたカートリッジホルダ１を含むことができる。他の実施形態において、薬物送達デバイス２０は、アダプタ３と掛止機構１６とが設けられた薬剤カートリッジを含んでもよい。
【００４２】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００４３】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００４４】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００４５】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００４６】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００４７】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００４８】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００４９】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００５０】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００５１】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００５２】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００５３】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００５４】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００５５】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００５６】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００５７】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００５８】
薬学的に許容される溶媒和物は、たとえば、水和物である。
【００５９】
当業者は、本明細書に記載の装置、方法、および／またはシステムおよび実施形態の様々な構成要素を、本発明の全範囲および精神から逸脱することなく修正（追加および／または除去）してもよく、本発明はそのような修正およびそのあらゆる等価物を包含するものであることを理解するだろう。
【符号の説明】
【００６０】
１  カートリッジホルダ
２  本体
３  アダプタ
４  外ねじ山
５  可撓性アーム
６  突起
７  切欠き
８  ランプ機能
９  キャップ
１０  壁
１１  凹部
１２  ニードルアセンブリ
１３  ハブ
１４  針
１５  壁
１６  掛止機構
２０  薬物送達デバイス
２１  フランジ部分
２２  オリフィス
Ａ  長手方向軸
Ｄ  遠位方向
Ｐ  近位方向
【図１】
2018513753.tif 000003
【図２】
2018513753.tif 000004
【図３】
2018513753.tif 000005
【図４】
2018513753.tif 000006
【図５】
2018513753.tif 000007
【図６】
2018513753.tif 000008
【図７】
2018513753.tif 000009
【図８】
2018513753.tif 000010
【図９】
2018513753.tif 000011
【国際調査報告】
2018513753.tif 000012
2018513753.tif 000013